【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
人物を撮像することにより得られた画像データを用いて、視線の向きの推定を行なう推定手段と、
第１のオブジェクトを含む第１の画面をディスプレイに表示させる表示制御手段と、
前記推定によって前記視線が前記第１のオブジェクトに向いていると判断された場合、前記視線が前記第１のオブジェクトに向いている時間を計測する計測手段と、
前記第１のオブジェクトを識別する第１の画像識別情報と前記計測された時間を表す第１の時間情報とを関連付けて記憶する記憶手段とを備え、
前記表示制御手段は、前記視線が前記第１のオブジェクトに向いている時間が第１の基準時間以上であった場合、前記第１のオブジェクトに予め対応付けられている画像を前記ディスプレイに表示させる、プログラマブル表示器。
【請求項２】
前記関連付けて記憶された前記第１の画像識別情報と前記第１の時間情報とを、サーバ装置に送信する送信手段をさらに備える、請求項１に記載のプログラマブル表示器。
【請求項３】
前記予め対応付けられている画像は、ユーザ操作を支援するための画像である、請求項１または２に記載のプログラマブル表示器。
【請求項４】
前記表示制御手段は、前記ユーザ操作を支援するための画像を前記ディスプレイに表示させる場合、前記ユーザ操作を支援するための画像の表示を消去するためのソフトウェアボタンを前記ディスプレイにさらに表示させ、
前記プログラマブル表示器は、前記視線が前記ユーザ操作を支援するための画像に向いている時間が第２の基準時間以上であったことを条件に、前記ソフトウェアボタンによる入力操作を受け付ける、請求項３に記載のプログラマブル表示器。
【請求項５】
前記第１の画面は、第２のオブジェクトをさらに含み、
前記計測手段は、前記推定によって前記視線が前記第２のオブジェクトに向いていると判断された場合、前記視線が前記第２のオブジェクトに向いている時間を計測し、
前記記憶手段は、前記第２のオブジェクトを識別する第２の画像識別情報と前記計測された時間を表す第２の時間情報とを関連付けて記憶する、請求項１〜４のいずれか１項に記載のプログラマブル表示器。
【請求項６】
前記表示制御手段は、前記第１の画面から第２の画面への遷移を指示する入力を受け付けた場合、前記第２の画面を前記ディスプレイに表示させることが可能であって、
前記記憶手段は、前記第１の画面が表示されている場合、前記視線が前記第１のオブジェクトに向いていると推定されると、前記第１の画面を識別する第１の画面識別情報と前記第１の画像識別情報と前記第１の時間情報とを関連付けて記憶する、請求項１〜５のいずれか１項に記載のプログラマブル表示器。
【請求項７】
前記第１のオブジェクトはソフトウェアボタンである、請求項１〜６のいずれか１項に記載のプログラマブル表示器。
【請求項８】
人物を撮像することにより得られた画像データを用いて、視線の向きの推定を行なう推定手段と、
複数の予め定められた画面のうち、指定された画面をディスプレイに表示させる表示制御手段と、
前記推定によって前記視線が前記指定された画面に向いていると判断された場合、前記視線が前記指定された画面に向いている時間を計測する計測手段と、
前記指定された画面を識別する画面識別情報と前記計測された時間を表す時間情報とを関連付けて記憶する記憶手段とを備える、プログラマブル表示器。
【請求項９】
プログラマブル・ロジック・コントローラが制御対象機器から取得したデータを、中継機器を介して前記プログラマブル・ロジック・コントローラから取得する携帯端末装置であって、
人物を撮像することにより得られた画像データを用いて、視線の向きの推定を行なう推定手段と、
オブジェクトを含む画面をディスプレイに表示させる表示制御手段と、
前記推定によって前記視線が前記オブジェクトに向いていると判断された場合、前記視線が前記オブジェクトに向いている時間を計測する計測手段と、
前記オブジェクトを識別する識別情報と前記計測された時間を表す時間情報とを関連付けて記憶する記憶手段とを備える、携帯端末装置。
【請求項１０】
前記中継器は、プログラマブル表示器である、請求項９に記載の携帯端末装置。
【請求項１１】
プログラマブル・ロジック・コントローラと無線によって通信可能に接続されるとともに、前記プログラマブル・ロジック・コントローラから取得したデータを表示可能な携帯端末装置であって、
人物を撮像することにより得られた画像データを用いて、視線の向きの推定を行なう推定手段と、
オブジェクトを含む画面をディスプレイに表示させる表示制御手段と、
前記推定によって前記視線が前記オブジェクトに向いていると判断された場合、前記視線が前記オブジェクトに向いている時間を計測する計測手段と、
前記オブジェクトを識別する識別情報と前記計測された時間を表す時間情報とを関連付けて記憶する記憶手段とを備える、携帯端末装置。
【請求項１２】
プログラマブル表示器におけるデータ処理方法であって、
前記プログラマブル表示器のプロセッサが、人物を撮像することにより得られた画像データを用いて、視線の向きの推定を行なうステップと、
前記プロセッサが、オブジェクトを含む画面をディスプレイに表示させるステップと、
前記プロセッサが、前記推定によって前記視線が前記オブジェクトに向いていると判断された場合、前記視線が前記オブジェクトに向いている時間を計測するステップと、
前記プロセッサが、前記オブジェクトを識別する識別情報と前記計測された時間を表す時間情報とを関連付けてメモリに記憶させるステップと、
前記視線が前記オブジェクトに向いている時間が基準時間以上であった場合、前記プロセッサが、前記オブジェクトに予め対応付けられている画像を前記ディスプレイに表示させるステップとを備える、データ処理方法。
【請求項１３】
プログラマブル表示器を制御するためのプログラムであって、
人物を撮像することにより得られた画像データを用いて、視線の向きの推定を行なうステップと、
オブジェクトを含む画面をディスプレイに表示させるステップと、
前記推定によって前記視線が前記オブジェクトに向いていると判断された場合、前記視線が前記オブジェクトに向いている時間を計測するステップと、
前記オブジェクトを識別する識別情報と前記計測された時間を表す時間情報とを関連付けてメモリに記憶させるステップと、
前記視線が前記オブジェクトに向いている時間が基準時間以上であった場合、前記オブジェクトに予め対応付けられている画像を前記ディスプレイに表示させるステップとを、前記プログラマブル表示器のプロセッサに実行させる、プログラム。
【手続補正２】
【補正対象書類名】明細書
【補正対象項目名】０００９
【補正方法】変更
【補正の内容】
【０００９】
好ましくは、プログラマブル表示器は、関連付けて記憶された第１の画像識別情報と第１の時間情報とを、サーバ装置に送信する送信手段をさらに備える。
【手続補正３】
【補正対象書類名】明細書
【補正対象項目名】００１５
【補正方法】変更
【補正の内容】
【００１５】
好ましくは、第１のオブジェクトはソフトウェアボタンである。
本発明の他の局面に従うと、プログラマブル表示器は、人物を撮像することにより得られた画像データを用いて、視線の向きの推定を行なう推定手段と、複数の予め定められた画面のうち、指定された画面をディスプレイに表示させる表示制御手段と、推定によって視線が指定された画面に向いていると判断された場合、視線が指定された画面に向いている時間を計測する計測手段と、指定された画面を識別する画面識別情報と計測された時間を表す時間情報とを関連付けて記憶する記憶手段とを備える。
【手続補正４】
【補正対象書類名】明細書
【補正対象項目名】００４６
【補正方法】変更
【補正の内容】
【００４６】
そこで、プログラマブル表示器３００は、オブジェクトを識別する画像識別情報と計測された時間を表す時間情報とを関連付けて一時的に記憶し、当該連付けて記憶された画像識別情報と時間時間とを、サーバ装置４００に送信する。具体的には、プログラマブル表示器３００は、当該連付けて記憶された識別情報と時間情報とをログデータ（図５参照）として、ＰＬＣ１００を介してサーバ装置４００に送信する。サーバ装置４００は、プログラマブル表示器３００から送信されてきた当該情報を受信する。
【手続補正５】
【補正対象書類名】明細書
【補正対象項目名】００４７
【補正方法】変更
【補正の内容】
【００４７】
さらに詳しくは、オブジェクトを識別する画像識別情報（以下、「オブジェクトＩＤ」とも称する）と、計測された時間を表す時間情報と、ページ画面を識別する画面識別情報（以下、「ページＩＤ」とも称する）とを関連付けて一時的に記憶し、当該連付けて記憶された画像識別情報と時間情報と画面識別情報とを、サーバ装置４００に送信する。